【手続補正書】
【提出日】令和3年1月12日(2021.1.12)
【手続補正１】
【補正対象書類名】特許請求の範囲
【補正対象項目名】全文
【補正方法】変更
【補正の内容】
【特許請求の範囲】
【請求項１】
シートを収納する、開閉可能なシート収納手段と、
前記シート収納手段に収納されたシートを給送するシート給送手段と、
前記シート収納手段に昇降可能に設けられ、シートを支持する第１支持部と、
前記シート収納手段に昇降可能に設けられ、前記シート給送手段のシート給送方向において前記第１支持部の上流でシートを支持する第２支持部と、
前記第１支持部及び前記第２支持部を昇降可能、かつ前記第１支持部を、前記第２支持部が昇降可能な範囲の下限位置より下方に移動させることが可能な昇降手段と、
前記第１支持部に支持されたシートを検知するシート検知手段と、
前記昇降手段を制御する制御手段と、を備え、
前記制御手段は、
前記第１支持部が前記第２支持部の前記下限位置より下方に位置する状態で前記シート収納手段が閉じられた場合に、前記第１支持部を前記下限位置まで上昇させて前記第１支持部及び前記第２支持部の高さを合わせる位置合わせ動作を実行可能であり、
前記位置合わせ動作において、前記第１支持部が前記第２支持部の前記下限位置に到達する前に前記シート検知手段がシートを検知した場合、エラーの発生を報知する報知処理を実行する、
ことを特徴とするシート給送装置。
【請求項２】
シート給送装置の外部から視認可能な表示灯をさらに備え、
前記制御手段は、前記位置合わせ動作によって前記第１支持部が前記下限位置に到達した場合は第１の表示状態とし、前記報知処理を実行する場合は前記表示灯を前記第１の表示状態とは異なる第２の表示状態とする、
ことを特徴とする請求項１に記載のシート給送装置。
【請求項３】
前記シート収納手段に収納されたシートの前記シート給送方向における上流端の位置を規制するシート規制手段と、
前記シート規制手段の前記シート給送方向における位置に関する情報を検知可能な位置検知手段であって、前記シート規制手段が、前記第１支持部及び前記第２支持部のうち前記第１支持部のみによって支持されるシートを規制する第１領域にあるか、前記第１支持部及び前記第２支持部の両方によって支持されるシートを規制する第２領域にあるかを検知可能な位置検知手段と、をさらに備え、
前記制御手段は、前記第１支持部が前記第２支持部の前記下限位置より下方に位置し、かつ前記シート規制手段が前記第２領域にある状態で前記シート収納手段が閉じられた場合に、前記位置合わせ動作を実行する、
ことを特徴とする請求項１又は２に記載のシート給送装置。
【請求項４】
前記第１支持部が前記第２支持部の前記下限位置にあることを検知可能な高さ位置検知手段をさらに備え、
前記制御手段は、
前記シート検知手段がシートを検知していない状態で前記高さ位置検知手段が前記第１支持部を検知した場合に前記位置合わせ動作を終了し、
前記高さ位置検知手段が前記第１支持部を検知していない状態で前記シート検知手段がシートを検知した場合に前記報知処理を実行する、
ことを特徴とする請求項１乃至３のいずれか１項に記載のシート給送装置。
【請求項５】
シートを収納する、開閉可能なシート収納手段と、
前記シート収納手段に収納されたシートを給送するシート給送手段と、
前記シート収納手段に昇降可能に設けられ、シートを支持する第１支持部と、
前記シート収納手段に昇降可能に設けられ、前記シート給送手段のシート給送方向において前記第１支持部より上流でシートを支持する第２支持部と、
前記第１支持部及び前記第２支持部を昇降可能、かつ前記第１支持部を、前記第２支持部が昇降可能な範囲の下限位置より下方に移動させることが可能な昇降手段と、
前記第１支持部に支持されたシートを検知するシート検知手段と、
前記昇降手段を制御する制御手段と、を備え、
前記制御手段は、
前記第１支持部が前記第２支持部より下方に位置する状態で前記シート収納手段が閉じられた場合において、
前記シート検知手段がシートを検知しない場合、前記第１支持部を前記第２支持部と高さが揃う位置まで上昇させる位置合わせ動作を実行し、
前記シート検知手段がシートを検知する場合、前記第１支持部を前記第２支持部と高さが揃う位置まで上昇させず、エラーの発生を報知する報知処理を実行する、
ことを特徴とするシート給送装置。
【請求項６】
前記制御手段は、
前記第１支持部が前記第２支持部の前記下限位置より下方に位置する状態で前記シート収納手段が閉じられた場合に、前記位置合わせ動作により前記第１支持部を前記下限位置まで上昇させ、
前記位置合わせ動作の実行を開始した後に前記シート検知手段がシートを検知した場合は、前記位置合わせ動作を停止して前記報知処理を実行する、
ことを特徴とする請求項５に記載のシート給送装置。
【請求項７】
前記制御手段は、
前記第１支持部が前記第２支持部の前記下限位置より下方に位置する状態で前記シート収納手段が閉じられた場合に、前記位置合わせ動作により前記第１支持部を前記下限位置まで上昇させ、
前記位置合わせ動作を実行する前に前記シート検知手段がシートを検知した場合は、前記位置合わせ動作を開始しないで前記報知処理を実行する、
ことを特徴とする請求項５に記載のシート給送装置。
【請求項８】
シート給送装置の外部から視認可能な表示灯をさらに備え、
前記制御手段は、前記報知処理を実行していない場合に前記表示灯を第１の表示状態とし、前記報知処理を実行する場合は前記表示灯を前記第１の表示状態とは異なる第２の表示状態とする、
ことを特徴とする請求項５乃至７のいずれか１項に記載のシート給送装置。
【請求項９】
シート給送装置の外部から視認可能な位置に設けられた表示部であって、前記表示灯が前記第２の表示状態となった場合には前記シート収納手段からシートを取り除く操作を行う旨の案内を示す表示部をさらに備える、
ことを特徴とする請求項８に記載のシート給送装置。
【請求項１０】
画像を表示する表示手段をさらに備え、
前記制御手段は、前記報知処理において、シート収納手段に収納されたシートを取り除くことを促す情報を前記表示手段に表示させる、
ことを特徴とする請求項１乃至９のいずれか１項に記載のシート給送装置。
【請求項１１】
前記シート検知手段は、上下方向において前記シート給送手段がシートに当接する位置において、前記第１支持部に支持されたシートを検知可能なセンサである、
ことを特徴とする請求項１乃至１０のいずれか１項に記載のシート給送装置。
【請求項１２】
前記シート検知手段は、上下方向において前記シート給送手段がシートに当接する位置と前記第２支持部の前記下限位置との間の検知位置において、前記第１支持部に支持されたシートを検知可能なセンサである、
ことを特徴とする請求項１乃至１０のいずれか１項に記載のシート給送装置。
【請求項１３】
前記第１支持部に支持されたシートの高さが、前記第２支持部の前記下限位置から前記シート検知手段の前記検知位置までの高さより大きい状態で、前記シート収納手段を開く操作が行われた場合、
前記制御手段は、前記第１支持部を前記第２支持部の前記下限位置より下方に下降させ、前記第１支持部に支持されたシートの上面が前記シート検知手段の検知結果が切り替わった際に前記第１支持部を停止させる、
ことを特徴とする請求項１２に記載のシート給送装置。
【請求項１４】
前記シート検知手段は、前記第１支持部に支持されたシートの有無を検知可能なセンサである、
ことを特徴とする請求項１乃至１０のいずれか１項に記載のシート給送装置。
【請求項１５】
前記第２支持部が前記下限位置より下方に移動することを規制するストッパを備え、
前記昇降手段は、前記第１支持部及び前記第２支持部のうち前記第１支持部にのみ連結され、前記第１支持部が前記第２支持部の前記下限位置より上方に位置するとき、前記第２支持部が前記第１支持部に支持された状態で前記第１支持部及び前記第２支持部を昇降させる、
ことを特徴とする請求項１乃至１４のいずれか１項に記載のシート給送装置。
【請求項１６】
前記シート給送手段によって給送されるシートに画像を形成する画像形成手段を備える、
ことを特徴とする請求項１乃至１５のいずれか１項に記載のシート給送装置。
【手続補正２】
【補正対象書類名】明細書
【補正対象項目名】０００６
【補正方法】変更
【補正の内容】
【０００６】
本発明の一態様に係るシート給送装置は、シートを収納する、開閉可能なシート収納手段と、前記シート収納手段に収納されたシートを給送するシート給送手段と、前記シート収納手段に昇降可能に設けられ、シートを支持する第１支持部と、前記シート収納手段に昇降可能に設けられ、前記シート給送手段のシート給送方向において前記第１支持部の上流でシートを支持する第２支持部と、前記第１支持部及び前記第２支持部を昇降可能、かつ前記第１支持部を、前記第２支持部が昇降可能な範囲の下限位置より下方に移動させることが可能な昇降手段と、前記第１支持部に支持されたシートを検知するシート検知手段と、前記昇降手段を制御する制御手段と、を備え、前記制御手段は、前記第１支持部が前記第２支持部の前記下限位置より下方に位置する状態で前記シート収納手段が閉じられた場合に、前記第１支持部を前記下限位置まで上昇させて前記第１支持部及び前記第２支持部の高さを合わせる位置合わせ動作を実行可能であり、前記位置合わせ動作において、前記第１支持部が前記第２支持部の前記下限位置に到達する前に前記シート検知手段がシートを検知した場合、エラーの発生を報知する報知処理を実行する、ことを特徴とする。
【手続補正３】
【補正対象書類名】明細書
【補正対象項目名】０００７
【補正方法】変更
【補正の内容】
【０００７】
本発明の他の態様に係るシート給送装置は、シートを収納する、開閉可能なシート収納手段と、前記シート収納手段に収納されたシートを給送するシート給送手段と、前記シート収納手段に昇降可能に設けられ、シートを支持する第１支持部と、前記シート収納手段に昇降可能に設けられ、前記シート給送手段のシート給送方向において前記第１支持部より上流でシートを支持する第２支持部と、前記第１支持部及び前記第２支持部を昇降可能、かつ前記第１支持部を、前記第２支持部が昇降可能な範囲の下限位置より下方に移動させることが可能な昇降手段と、前記第１支持部に支持されたシートを検知するシート検知手段と、前記昇降手段を制御する制御手段と、を備え、前記制御手段は、前記第１支持部が前記第２支持部より下方に位置する状態で前記シート収納手段が閉じられた場合において、前記シート検知手段がシートを検知しない場合、前記第１支持部を前記第２支持部と高さが揃う位置まで上昇させる位置合わせ動作を実行し、前記シート検知手段がシートを検知する場合、前記第１支持部を前記第２支持部と高さが揃う位置まで上昇させず、エラーの発生を報知する報知処理を実行する、ことを特徴とする。